(57)【特許請求の範囲】
【請求項１】
回線のセットを経由して、グループのＤＳＬモデムと時間的に並列なＤＳＬデータ通信セッションを維持するステップと、
回線のうちの１つを経由した、ＤＳＬモデムのうちの１つからのＤＳＬ通信の受信に対する実質的な停止を起こす信号の損失事象の検出に応答して、実質的に削減された平均出力を回線のうちの該１つに送信するステップと、ＤＳＬ信号の受信がＤＳＬモデムのうちの該１つから再開したかどうかを判定するために、回線のうちの該１つを監視するステップと、
ＤＳＬ信号の受信がＤＳＬモデムのうちの該１つから再開したことを判定することを監視するステップに応答して、時間的に並列なＤＳＬ通信セッションを維持するステップを再開するステップと
を含む、方法。
【請求項２】
実質的に削減された平均出力を送信するステップが、維持するステップの間にデータを回線のうちの１つに送信するために使用されたＤＳＬトーンの適切なサブセットを介して、回線のうちの１つに送信するステップを含む、請求項１に記載の方法。
【請求項３】
再開するステップが、実質的に、維持するステップの間にグループに送信されたデータ信号をプリコーディングするために使用された行列である行列を用いて、ＤＳＬデータ信号をプリコーディングするステップを含み、
再開するステップが、プリコーディングされたＤＳＬデータ信号をグループに送信するステップを含む、
請求項１または２に記載の方法。
【請求項４】
再開するステップが、実質的に、維持するステップの間にグループから受信されたデータ信号を復号するために使用された行列である復号行列を用いて、グループから受信されたＤＳＬデータ信号を復号するステップを含む、請求項１または２に記載の方法。
【請求項５】
回線を介して、データをローカルＤＳＬモデムから遠方のＤＳＬモデムにアップリンクするＤＳＬ通信セッションを維持するステップと、
遠方のＤＳＬモデムからのＤＳＬ通信の受信に対する実質的な停止を起こす信号の損失事象の検出に応答して、実質的に削減された平均出力をアップリンクの方向で該回線に送信するステップと、遠方のＤＳＬモデムからのＤＳＬ信号の受信が再開したかどうかを判定するために、該回線を監視するステップと、
遠方のＤＳＬモデムからのＤＳＬ信号の受信が再開したことを判定することを監視するステップに応答して、遠方のＤＳＬモデムとのＤＳＬ通信セッションを再開するステップと
を含む、方法。
【請求項６】
実質的に削減された平均出力を送信するステップが、維持するステップの間にデータをアップリンクするために使用されたＤＳＬトーンの適切なサブセットを介して、アップリンクの方向で回線に送信するステップを含む、請求項５に記載の方法。
【請求項７】
回線のセットを経由して、第２のセットのＤＳＬモデムとの並列なＤＳＬ通信セッションのセットを維持することが可能な、中央制御されたＤＳＬモデムの第１のセットを備えた装置であって、
中央制御されたＤＳＬモデムのうちの１つが、回線のうちの１つを経由した、第２のセットのＤＳＬモデムのうちの１つからのＤＳＬ通信の受信の実質的な停止を起こす信号の損失事象の検出に応答して、回線のうちの該１つに送信された平均出力を実質的に低減するように構成され、かつ第２のセットのＤＳＬモデムのうちの該１つからのＤＳＬ通信の受信が再開したかどうかを判定するために、回線のうちの該１つを監視するように構成され、
中央制御されたＤＳＬモデムのセットが、第２のセットのＤＳＬモデムのうちの該１つからのＤＳＬ通信の受信の再開に応答して、並列なＤＳＬ通信セッションのセットを再開するように構成された、
装置。
【請求項８】
中央制御されたＤＳＬモデムのうちの１つが、第２のセットのＤＳＬモデムのうちの１つにデータを送信するために利用可能なＤＳＬトーンのセット３分の１未満を介して送信することによって、出力を実質的に低減するように構成された、請求項７に記載の装置。
【請求項９】
中央制御されたＤＳＬモデムのうちの１つが、第２のセットのＤＳＬモデムのうちの１つからのＤＳＬ通信の受信の実質的な停止に先立って、データ信号をプリコーディングするために使用された行列を用いて、ＤＳＬ伝送に関するデータ信号をプリコーディングすることによって、並列なＤＳＬ通信セッションのセットを再開するように構成された、請求項７または８に記載の装置。
【請求項１０】
中央制御されたＤＳＬモデムのセットが、第２のセットのＤＳＬモデムのうちの１つからのＤＳＬ通信の受信の実質的な停止に先立って、受信されたＤＳＬデータ信号を復号するために使用された行列を用いて、受信されたＤＳＬデータ信号を復号することによって、並列なＤＳＬ通信セッションのセットを再開するように構成された、請求項７または８に記載の装置。
【発明の詳細な説明】
【技術分野】
【０００１】
本出願は、Ａｄｒｉａａｎ  Ｊ．ｄｅ  Ｌｉｎｄ  ｖａｎ  Ｗｉｊｎｇａａｒｄｅｎ、Ｊｏｃｈｅｎ  Ｍａｅｓ、Ｃａｒｌ  Ｊ．Ｎｕｚｍａｎ、およびＤａｎｎｙ  ｖａｎ  Ｂｒｕｙｓｓｅｌによって２００８年６月４日に出願された、米国仮出願第６１／１３０，９７９号「Ｓｉｇｎａｌ  Ｓｕｓｐｅｎｓｉｏｎ  Ａｎｄ  Ｒｅｓｕｍｐｔｉｏｎ  ｉｎ  ＤＳＬ  Ｓｙｓｔｅｍｓ」の優先権を主張するものである。
【０００２】
本発明は、マルチチャネル通信システムに関する。
【背景技術】
【０００３】
本項は、本発明のよりよい理解を円滑にするのに役立つ可能性がある態様を紹介する。したがって、本項の記述は、この点から理解されるべきであり、先行技術の中にあるもの、または先行技術の中にないものについての承認として理解されるべきではない。
【０００４】
多くのデジタル加入者線（ＤＳＬ）通信システムは、電話局（ＣＯ）のＤＳＬモデムをカスタマ施設のＤＳＬモデムに接続するローカルエンド電話回線間のダウンリンク漏話およびアップリンク漏話の影響を受け易い。この漏話は、一部、より対線のローカルエンド電話線間の電磁結合によって引き起こされる場合がある。漏話は、アップリンク方向およびダウンリンク方向でＣＯとカスタマ施設との間のＤＳＬ通信に悪影響を及ぼす可能性がある。例えば、漏話は、ＤＳＬ通信が維持され得る距離を削減する可能性があり、かつ／または取得可能な最大ＤＳＬデータ伝送速度を低減する可能性がある。
【０００５】
一部のＤＳＬ通信システムは、ＤＳＬダウンリンク通信およびＤＳＬアップリンク通信におけるかかる漏話の所望されない影響を補償する。かかる補償を実行するために、ＤＳＬ通信システムは、通常、ダウンリンクチャネル行列ならびにアップリンクチャネル行列、すなわち、それぞれ、ＨＤおよびＨｕを測定する。ダウンリンクチャネル行列ＨＤから、ＣＯは、カスタマ施設のＤＳＬモデムが、実質的に漏話関連のひずみなしにＤＳＬデータ信号を受信することになるように、ダウンリンクＤＳＬ通信をプリコーディングすることが可能である。アップリンクチャネル行列Ｈｕから、ＣＯは、実質的に漏話関連のひずみなしにＤＳＬデータ信号を作成するために、受信されたアップリンクＤＳＬ通信を復号することが可能である。
【０００６】
ダウンリンクチャネル行列ＨＤおよびアップリンクチャネル行列Ｈｕの測定は、ＤＳＬ通信セッションの初期化およびトラッキングの間に実行され得る。典型的には、それぞれのＤＳＬトーンに関して、異なる対のチャネル行列ＨＤおよびＨｕが測定される。測定されたダウンリンクチャネル行列ＨＤおよびアップリンクチャネル行列Ｈｕは、ＤＳＬ通信セッションとして更新されることが可能であり、対応する回線がＣＯによって管理されているＤＳＬセッションのセットに追加されるか、または当該ＤＳＬセッションのセットから除去される。漏話に関する、時間的に並列なＤＳＬセッションのセットの補償は、多くの場合、ＤＳＬベクタリング（ｖｅｃｔｏｒｉｎｇ）と呼ばれる。
【先行技術文献】
【特許文献】
【０００７】
【特許文献１】米国特許出願公開第２００９００５９７８０号明細書
【特許文献２】米国特許出願公開第２００９００６００６７号明細書
【特許文献３】米国特許出願公開第２００８０２４７４４６号明細書
【発明の概要】
【課題を解決するための手段】
【０００８】
様々な実施形態は、ＤＳＬベクタリングをサポートするＤＳＬ通信装置およびＤＳＬ通信方法を提供する。これらの方法および装置は、電話局のＤＳＬモデムとカスタマ施設のＤＳＬモデムとの間のＤＳＬ通信を中断する事象に対する応答を管理するように構成される。これらの方法および装置は、かかる事象がその他のＤＳＬモデム同士の間のＤＳＬ通信に対して引き起こす漏話の有害な影響を制限することが可能である。これらの方法は、ＤＳＬ再初期化の量が低減され得るように、チャネル行列の要素を再測定する必要を削減することも可能である。
【０００９】
第１の実施形態では、方法は、回線のセットを経由して、グループのＤＳＬモデムと時間的に並列なＤＳＬデータ通信セッションを維持するステップを含む。回線のうちの１つを経由した、ＤＳＬモデムのうちの１つからのＤＳＬ通信の受信に対する実質的な停止に応答して、この方法は、実質的に削減された平均出力を回線のうちの１つに送信するステップと、ＤＳＬ通信の受信がＤＳＬモデムのうちの１つから再開したかどうかを判定するために、回線のうちの１つを監視するステップとを含む。この方法は、ＤＳＬ通信の受信がＤＳＬモデムのうちの１つから再開したことを判定することを監視するステップに応答して、時間的に並列なＤＳＬ通信セッションを維持するステップを再開するステップも含む。
【００１０】
いくつかの特定の第１の実施形態では、実質的に削減された平均出力を送信するステップは、維持するステップの間にデータを回線のうちの１つに送信するために使用されたＤＳＬトーンのセットの適切なサブセットを介して、回線のうちの１つに送信するステップを含む。いくつかのかかる特定の実施形態では、実質的に削減された平均出力を送信するステップは、維持するステップの間にデータを回線のうちの１つに送信するために使用されたＤＳＬトーンのセットの３分の１未満を介して、回線のうちの１つに送信するステップを含み得る。
【００１１】
いくつかの特定の第１の実施形態では、再開するステップは、実質的に、維持するステップの間にグループに送信されたデータ信号をプリコーディングするために使用された行列である行列を用いて、ＤＳＬデータ信号をプリコーディングするステップを含む。かかる特定の第１の実施形態では、再開するステップは、プリコーディングされたＤＳＬデータ信号をグループに送信するステップも含む。
【００１２】
いくつかの特定の第１の実施形態では、再開するステップは、実質的に、維持するステップの間にグループから受信されたデータ信号を復号するために使用された行列である行列を用いて、グループから受信されたＤＳＬデータ信号を復号するステップを含む。かかる特定の第１の実施形態では、実質的に削減された平均出力を送信するステップは、維持するステップの間にデータを回線のうちの１つに送信するために使用されたＤＳＬトーンの３分の１未満を介して、ＤＳＬデータを回線のうちの１つに送信するステップを含み得る。かかる特定の第１の実施形態では、再開するステップは、実質的に、維持するステップの間にグループに送信されたデータ信号をプリコーディングするために使用された行列である行列を用いて、ＤＳＬデータ信号をプリコーディングするステップを含み得る。かかる特定の第１の実施形態では、再開するステップは、プリコーディングされたＤＳＬデータ信号をグループに送信するステップも含む。
【００１３】
いくつかの特定の第１の実施形態では、再開するステップは、回線のセットに関するチャネル行列の要素を再測定せずに実行されることが可能である。
【００１４】
第２の実施形態では、方法は、回線を介して、データをローカルＤＳＬモデムから遠方ＤＳＬモデムにアップリンクするＤＳＬ通信セッションを維持するステップを含む。この方法は、遠方のＤＳＬモデムからのＤＳＬ通信の受信に対する実質的な停止に応答して、実質的に削減された平均出力をアップリンク方向で回線に送信するステップと、遠方のＤＳＬモデムからのＤＳＬ信号の受信が再開したかどうかを判定するために、回線を監視するステップとを含む。この方法は、遠方のＤＳＬモデムからのＤＳＬ信号の受信が再開したことを判定することを監視するステップに応答して、遠方のＤＳＬモデムとのＤＳＬ通信セッションを再開するステップも含む。
【００１５】
いくつかの特定の第２の実施形態では、実質的に削減された平均出力を送信するステップは、維持するステップの間にデータをアップリンクするために使用されたＤＳＬトーンの適切なサブセットを介して、アップリンク方向で回線に送信するステップを含む。
【００１６】
いくつかの特定の第２の実施形態では、実質的に削減された平均出力を送信するステップは、維持するステップの間にデータをアップリンクするために使用されたＤＳＬトーンのセットの３分の１未満を介して、回線に送信するステップを含む。
【００１７】
いくつかの特定の第２の実施形態では、再開するステップは、ＤＳＬ通信セッションに関するチャネル行列の要素を再測定せずに実行される。
【００１８】
いくつかの特定の第２の実施形態は、ローカルＤＳＬモデムを含むベクタリンググループに対するＤＳＬ通信をどのようにプリコーディングするかを決定する手順に参加するステップを含む。
【００１９】
いくつかの特定の第２の実施形態は、ローカルＤＳＬモデムを含むベクタリンググループから受信されたＤＳＬ通信をどのように復号するかを決定する手順に参加するステップを含む。
【００２０】
第３の実施形態では、装置は、回線のセットを経由して、第２のセットのＤＳＬモデムと時間的に並列なＤＳＬ通信セッションのセットを維持することが可能な、中央制御されたＤＳＬモデムの第１のセットを含む。中央制御されたＤＳＬモデムのうちの１つは、回線のうちの１つを経由した、第２のセットのＤＳＬモデムのうちの１つからのＤＳＬ通信の受信の実質的な停止に応答して、回線のうちの１つに送信された平均出力を実質的に削減するように構成され、かつ第２のセットのＤＳＬモデムのうちの１つからのＤＳＬ通信の受信が再開したかどうかを判定するために、回線のうちの１つを監視するように構成される。中央制御されたＤＳＬモデムのセットは、第２のセットのＤＳＬモデムのうちの１つからのＤＳＬ通信の受信の再開に応答して、並列なＤＳＬ通信セッションのセットを再開するように構成される。
【００２１】
いくつかの特定の第３の実施形態では、中央制御されたＤＳＬモデムのうちの１つは、第２のセットのＤＳＬモデムのうちの１つにデータを送信するために利用可能なＤＳＬトーンのセットの３分の１未満を介して送信することによって、出力を実質的に削減するように構成される。
【００２２】
いくつかの特定の第３の実施形態では、中央制御されたＤＳＬモデムのうちの１つは、第２のセットのＤＳＬモデムのうちの１つからのＤＳＬ通信の受信の実質的な停止に先立って、データ信号をプリコーディングするために使用された行列を用いて、ＤＳＬ伝送に関するデータ信号をプリコーディングすることによって、並列なＤＳＬ通信セッションのセットを再開するように構成される。
【００２３】
いくつかの特定の第３の実施形態では、中央制御されたＤＳＬモデムのセットは、第２のセットのＤＳＬモデムのうちの１つからのＤＳＬ通信の受信の実質的な停止に先立って、受信されたＤＳＬデータ信号を復号するために使用された行列を用いて、受信されたＤＳＬデータ信号を復号することによって、並列なＤＳＬ通信セッションのセットを再開するように構成される。
【図面の簡単な説明】
【００２４】
【図１】Ｎ個ほどの時間的に並列なＤＳＬ通信セッションに関するＤＳＬベクタリングをサポートするＤＳＬ通信システムを概略的に例示する図である。
【図２Ａ】ＤＳＬ通信システム、例えば、図１のＤＳＬ通信システムの動作の間の対応するＤＳＬモデムの対の状態を例示する状態図である。
【図２Ｂ】図２ＡによるＤＳＬ通信システムの例の動作、例えば、図１のＤＳＬ通信システムの動作の間のプリコーディング行列Ｐの状態を例示する状態図である。
【図２Ｃ】図２ＡによるＤＳＬ通信システムの例の動作、例えば、図１のＤＳＬ通信システムの動作の間の復号行列Ｍの状態を例示する状態図である。
【図３】Ｋ個の時間的に並列なＤＳＬセッションをサポートするＤＳＬシステム内、例えば、図１、２Ａ、２Ｂ、および２ＣのＤＳＬ通信システム内の電話局（ＣＯ）のＤＳＬモデムを操作する方法を例示する流れ図である。
【図４】Ｋ個の時間的に並列なＤＳＬセッションをサポートするＤＳＬシステム内、例えば、図１、２Ａ、２Ｂ、２Ｃ、および３のＤＳＬ通信システム内のカスタマ施設（ＣＰ）のＤＳＬモデムを操作する方法を例示する流れ図である。
【発明を実施するための形態】
【００２５】
図面および本文において、類似の参照番号は、類似の機能または同じ機能を有する要素を示す。
【００２６】
図面において、いくつかの特徴の相対的な寸法は、例示されている１つまたは複数の構造をより明瞭に示すために誇張される場合がある。
【００２７】
本明細書で、様々な実施形態は、例示の実施形態の図面および詳細な説明によって、より十分に説明される。それにもかかわらず、本発明は、様々な形態で実施されることが可能であり、例示の実施形態の図面および詳細な説明において説明される実施形態に限定されない。
【００２８】
Ａｄｒｉａａｎ  Ｊ．ｄｅ  Ｌｉｎｄ  ｖａｎ  Ｗｉｊｎｇａａｒｄｅｎ、Ｊｏｃｈｅｎ  Ｍａｅｓ、Ｃａｒｌ  Ｊ．Ｎｕｚｍａｎ、およびＤａｎｎｙ  ｖａｎ  Ｂｒｕｙｓｓｅｌによって２００８年６月４に出願された、米国仮出願第６１／１３０，９７９号、「Ｓｉｇｎａｌ  Ｓｕｓｐｅｎｓｉｏｎ  Ａｎｄ  Ｒｅｓｕｍｐｔｉｏｎ  ｉｎ  ＤＳＬ  Ｓｙｓｔｅｍｓ」が参照により全体として本明細書に組み込まれている。
【００２９】
図１は、ＤＳＬサービスプロバイダまたは地域の電話会社の電話局（ＣＯ）１２と、カスタマ施設（ＣＰ）１４１、１４２、．．．、１４Ｎのセットとの間で音声通信およびＤＳＬ通信をサポートする電話システムの一例の部分１０を概略的に示す。ＣＯ１２は、コントローラ２８によって中央制御されたＤＳＬモデム２４１、２４２、．．．、２４Ｎのセットを有する。それぞれのＣＰ１４１、１４２、．．．、１４Ｎは、ＤＳＬモデム１８１、１８２、．．．１８Ｎと、ローカル配線２２と、オプションの電話２０１、２０２、．．．、２０Ｎとを有する。ＣＯ１２のＤＳＬモデム２４１、２４２、．．．、２４Ｎ、およびＣＰ１４１、１４２、．．．、１４ＮのＤＳＬモデム１８１、１８２、．．．、１８Ｎは、ローカルエンドライン（ｌｏｃａｌ  ｅｎｄ  ｌｉｎｅｓ）１６１、１６２、．．．、１６ＮとＣＰ１４１、１４２、．．．、１４Ｎにおけるローカル配線２２とを介して接続される。ローカルエンドライン１６１、．．．、１６Ｎは、例えば、通常のローカルエンド電話回線またはより対線である。それぞれのローカルエンドライン１６１、．．．、１６Ｎは、ＣＯ１２のＤＳＬモデム２４１、．．．、２４Ｎのうちの１つを、ＣＰ１４１、．．．、１４ＮのセットのＤＳＬモデム１８１、．．．、１８Ｎの対応する１つに接続する。ＣＯ１２のコントローラ２８は、ＣＯ１２のＤＳＬモデム２４１、．．．、２４ＮのＤＳＬベクタリンググループ、すなわち、アクティブなＤＳＬ通信セッションを有するＤＳＬモデム２４１、．．．、２４Ｎのサブセットを操作する。
【００３０】
ローカルエンドライン１６１、．．．、１６Ｎの一部は、バインダ２６内、例えば、ケーブル内の同じ場所に配置された区分を有し得る。バインダ２６は、通常、その中に、長距離にわたって密接な物理的近接性でローカルエンドライン１６１、．．．、１６Ｎの一部を維持する。そのため、ローカルエンドライン１６１、．．．、１６Ｎの一部は、例えば、バインダ２６内の電磁結合によって引き起こされる、かなりの回線間漏話の損害を受ける可能性がある。
【００３１】
ＣＯ１２のコントローラ２８は、アップリンク上および／またはダウンリンク上の漏話の所望されない影響を補償するために、何らかの形態のＤＳＬベクタリングを実装する。タイムスロット内で、コントローラ２８は、ＣＰ１４１、．．．、１４ＮのＫ個のアクティブなＤＳＬモデム１８１、．．．、１８Ｎに対するダウンリンク伝送のためのＫ個のアクティブなＤＳＬモデム２４１、．．．、２４Ｎのグループからの伝送に先立って、Ｋ個のＤＳＬデータ信号をプリコーディングすることが可能である。タイムスロット内で、コントローラ２８は、その中のＫ個の時間的に並列なデータストリームからデータを抽出するのに先立って、ＣＰ１４１、．．．、１４ＮのＫ個のアクティブなＤＳＬモデム１８１、．．．、１８Ｎからアップリンク伝送を経由して受信されたＤＳＬデータ信号を復号することも可能である。ＣＯ１２は、アップリンクＤＳＬ伝送および／またはダウンリンクＤＳＬ伝送のためにＤＳＬベクタリングを実装することが可能である。
【００３２】
ＤＳＬシステム、およびその中でＤＳＬベクタリングに関する技法を実装する方法の例は、Ａｌｅｘｅｉ  Ａｓｈｉｋｈｍｉｎ、Ａｄｒｉａａｎ  Ｊ．ｄｅ  Ｌｉｎｄ  ｖａｎ  Ｗｉｊｎｇａａｒｄｅｎ、Ｇｅｒｈａｒｄ  Ｇ．Ｋｒａｍｅｒ、Ｃａｒｌ  Ｊ．Ｎｕｚｍａｎ、およびＰｈｉｌｉｐ  Ａ．Ｗｈｉｔｉｎｇによって２００８年４月１日に出願された米国特許出願第１２／０６０，６５３号、Ａｄｒｉａａｎ  Ｊ．ｄｅ  Ｌｉｎｄ  ｖａｎ  Ｗｉｊｎｇａａｒｄｅｎ、Ｇｅｒｈａｒｄ  Ｇ．Ｋｒａｍｅｒ、Ｃａｒｌ  Ｊ．Ｎｕｚｍａｎ、Ｐｈｉｌｉｐ  Ａ．Ｗｈｉｔｉｎｇ、およびＭｉｒｏｓｌａｖ  Ｚｉｖｋｏｖｉｃによって２００７年８月３１日に出願された米国特許出願第１１／８４８，６８４号（米国特許出願公開第２００９００５９７８０号明細書）、Ｍａｍｏｕｎ  Ｇｕｅｎａｃｈ、Ｇｅｒｈａｒｄ  Ｇ．Ｋｒａｍｅｒ、Ｊｅｒｏｍｅ  Ｌｏｕｖｅａｕｘ、Ｊｏｃｈｅｎ  Ｍａｅｓ、Ｍｉｃｈａｅｌ  Ｐｅｅｔｅｒｓ、Ｐｈｉｌｉｐ  Ａ．Ｗｈｉｔｉｎｇ、Ｌｕｃ  Ｖａｎｄｅｎｄｏｒｐｅ、Ｊａｎ  Ｓ．Ｖｅｒｌｉｎｄｅｎ、Ｇｅｅｒｔ  Ｂｅｒｔ  Ｙｓｅｂａｅｒｔ、およびＭｉｒｏｓｌａｖ  Ｚｉｖｋｏｖｉｃによって２００７年８月３１日に出願された米国特許出願第１１／８９７，８０９号（米国特許出願公開第２００９００６００６７号明細書）、ならびに／またはＧｅｒｈａｒｄ  Ｇ．Ｋｒａｍｅｒ、Ｐｈｉｌｉｐ  Ａ．Ｗｈｉｔｉｎｇ、およびＭｉｒｏｓｌａｖ  Ｚｉｖｋｏｖｉｃによって２００７年８月３１日に出願された米国特許出願第１１／８９７，８７７号（米国特許出願公開第２００８０２４７４４６号明細書）において記述され得る。上記リストの４つの特許出願は、その全体が参照により本明細書に組み込まれている。
【００３３】
Ｋ個の時間的に並列なＤＳＬ通信ストリームをプリコーディングするステップは、通常、例えば、コントローラ２８内で、それぞれの伝送タイムスロットおよびＤＳＬトーンに関する行列積Ｐ・Ｘを評価するステップを必要とする。この場合、Ｐは、Ｋ×Ｋプリコーディング行列であり、Ｘは、タイムスロットおよび対応するＤＳＬトーンに関するＤＳＬデータ信号のＫベクトルである。それぞれのＤＳＬトーンに関して、ＣＯ１２の「ｊ」個のアクティブなＤＳＬモデム２４１、．．．、２４Ｎは、要素（Ｐ・Ｘ）ｊを、ＣＰ１４１、．．．、１４Ｎのセットの「ｊ」個のアクティブなＤＳＬモデム１８１、．．．、１８Ｎに直接接続しているローカルエンドライン１６１、．．．、１６Ｎに送信する。この場合、「ｊ」のＫ値は、アクティブなＤＳＬ通信ストリームに索引付けする。プリコーディングにより、ＣＰ１４１、．．．、１４Ｎのセットの「ｊ」個のアクティブなＤＳＬモデム１８１、．．．、１８Ｎは、漏話が存在し、雑音など、その他のタイプの信号ひずみが不在の場合、近似の形態のＤＳＬ信号Ｄｊ・Ｘｊを受信することになる。すなわち、Ｄｊ・Ｘｊ＝（ＨＤ・Ｐ・Ｘ）ｊである。したがって、プリコーディングは、通常、漏話を除去するが、回線に依存する信号減衰は除去しない可能性がある。かかる有利なプリコーディングを実行するために、ＣＯ１２は、通常、例えば、対応するＤＳＬトーンに関するダウンリンクチャネル行列ＨＤを評価することによって、ＤＳＬベクタリンググループに関するプリコーディング行列Ｐを評価する必要がある。
【００３４】
Ｋ個の時間的に並列なＤＳＬ通信ストリームを復号するステップは、通常、例えば、コントローラ２８内でそれぞれの伝送タイムスロットおよびそれぞれのＤＳＬトーンに関する行列積Ｍ・Ｙを評価するステップを必要とする。この場合、Ｍは、Ｋ×Ｋ復号行列であり、Ｙは、対応するタイムスロットおよびＤＳＬトーンに関して受信されたＤＳＬデータ信号のＫベクトルである。漏話が存在し、その他の信号ひずみ、例えば、雑音が不在の場合、ベクトルＹは、ＨＵ・Ｕであり、この場合、ＣＰ１４１、．．．、１４Ｎのセットの「ｐ」個のアクティブなＤＳＬモデム１８１、．．．、１８Ｎは、ｐ＝１、．．．、Ｋに関して、（Ｕ）ｐを送信する。漏話が存在し、その他のタイプの信号ひずみ、例えば、雑音が不在の場合、行列積Ｍ・Ｙの「ｊ」要素は、近似の形態Ｄ’ｊ・Ｕｊを有する。したがって、復号は、通常、アップリンクＤＳＬ通信同士の間の漏話を除去するが、回線に依存する減衰は除去しない可能性がある。かかる有利な復号を実行するために、ＣＯ１２は、通常、例えば、対応するＤＳＬトーンに関するアップリンクチャネル行列Ｈｕを評価することによって、ＤＳＬベクタリンググループに関する復号行列Ｍを評価する必要がある。
【００３５】
ＣＰ１４１、．．．、１４ＮのセットのＤＳＬモデム１８１、．．．、１８ＮがＤＳＬ通信セッションを開始するときまたは終了するとき、すなわち、ＤＳＬベクタリンググループに参加するとき、またはＤＳＬベクタリンググループから撤退するとき、プリコーディング行列Ｐおよび／または復号行列Ｍを評価することは、多くの場合、望ましい。ＣＰ１４１、．．．、１４Ｎのセットの参加しているＤＳＬモデム１８１、．．．、１８ＮのＤＳＬ通信は、既にＤＳＬベクタリンググループ内にあるそれらのＤＳＬモデム１８１、．．．、１８Ｎ、２４１、．．．、２４ＮのＤＳＬ通信において実質的な漏話を生み出す可能性がある。同様に、既にＤＳＬベクタリンググループ内にあるＤＳＬモデム１８１、．．．、１８Ｎ、２４１、．．．、２４ＮのＤＳＬ通信は、多くの場合、ＣＰ１４１、．．．、１４Ｎのセットの新たに参加しているＤＳＬモデム１８１、．．．、１８Ｎ同士の間のＤＳＬ通信においてかなりの漏話を引き起こすことになる。したがって、かかる参加事象および撤退事象において、プリコーディング行列Ｐおよび／または復号行列Ｍの要素を再評価することは、多くの場合、有用である。
【００３６】
プリコーディング行列Ｐおよび復号行列Ｍの評価は、多くの場合、かなりの時間の間に実行する手順を実行するステップを必要とする。いくつかのかかる手順は、直接チャネル減衰および漏話レベルを特定するためにＤＳＬパイロット信号を測定するステップ、チャネル雑音レベルを測定するステップ、および／またはハンドシェーク動作を実行するステップを必要とする。実際には、プリコーディング行列Ｐおよび復号行列Ｍの評価は、完了前に３０秒ほどの間に実行する通常の初期化手順の一部ですらあり得る。かかる長い評価期間がＤＳＬ通信に干渉するのを避けるために、不要な場合、行列ＰまたはＭを評価するステップを避けることが有利な場合がある。
【００３７】
本発明者らは、プリコーディング行列Ｐおよび／または復号行列Ｍの再測定要素は、ＤＳＬモデム１８１、．．．、１８Ｎ、２４１、．．．、２４Ｎの対がＤＳＬベクタリンググループに参加するあらゆる状況において効率的でない場合があることに気づいた。詳細には、かかるＤＳＬモデムは、ＤＳＬ信号の受信が実質的に停止する、すなわち、中断される、信号の損失事象を検出した直後に、ＤＳＬベクタリンググループに再度参加することを要求する場合がある。かかる信号の損失事象は、ＣＯ１２の１つまたは複数のアクティブなＤＳＬモデム２４１、．．．、２４Ｎと、ＣＰ１４１、．．．、１４Ｎのセットの１つまたは複数の対応するアクティブなＤＳＬモデム１８１、．．．、１８Ｎとの間で発生する場合がある。信号の損失事象、例えば、その（１つもしくは複数の）振動による、（１つもしくは複数の）回線１６１、．．．、１６Ｎの（１つもしくは複数の）電気接点の（１つもしくは複数の）一時的な切断、１つもしくは複数のアクティブなＤＳＬモデム１８１、．．．、１８Ｎ、２４１、．．．、２４Ｎの電源切断、１つもしくは複数のアクティブなＤＳＬモデム１８１、．．．、１８Ｎ、２４１、．．．、２４Ｎの出力低減、または（１つもしくは複数の）アクティブなＤＳＬモデム１８１、．．．、１８Ｎ、２４１、．．．、２４Ｎの（１つもしくは複数の）出力の（１つもしくは複数の）突然の転換が発生する場合がある。いくつかのかかるタイプの信号の損失事象は、直接チャネルおよび漏話チャネルをサポートする物理的な通信媒体の形態をその信号の損失事象直前の形態から実質的に変更せずに、迅速に緩和され得る。すなわち、ＤＳＬトーン周波数の関連セットに関して対応するチャネル行列ＨＵ、ＨＤのセットの（１つまたは複数の）形態は、信号の損失事象の直前と信号の損失事象の緩和直後とで非常に類似している可能性がある。物理的なマルチチャネル通信媒体を実質的にその信号の損失事象直前の形態に戻すことが可能な緩和の例は、以下を含み得る：すなわち、一時的に開放された（１つもしくは複数の）電気接点の閉鎖、（１つもしくは複数の）ＤＳＬモデムに対するローカル配線２２の再接続、および／または出力低減された（１つもしくは複数の）ＤＳＬモデムの出力再増大である。かかるタイプの信号の損失事象の緩和後に、信号の損失事象の直前に使用されたプリコーディング行列Ｐおよび／または復号行列Ｍを再使用することは、ＤＳＬ通信においてプリコーディングおよび／または復号によって提供された漏話補償の品質を実質的に低減しない可能性がある。加えて、１つもしくは複数の再度参加しているＤＳＬモデム１８１、．．．、１８Ｎ、２４１、．．．、２４Ｎは、プリコーディング行列Ｐおよび／または復号行列Ｍの再評価を待たずに、ＤＳＬ通信の活動を再開すること、すなわち、ＤＳＬデータ信号を送信および／または受信することが可能になるため、予め使用されたプリコーディング行列Ｐおよび／または復号行列Ｍを再使用することは、通常、ダウンタイムをかなり低減し得る。
【００３８】
方法および装置の様々な実施形態は、ＤＳＬモデムが、ＤＳＬ通信の受信が実質的に停止された、すなわち、中断されたことを判定する、信号の損失事象に応答する形でＤＳＬベクタリングをサポートする。これらの方法およびシステムは、ＤＳＬ通信の受信が再開したという判定に応答して、すなわち、プリコーディング行列および／または復号行列の要素を再測定せずに、信号の損失事象が緩和されているという判定に応答して、ＤＳＬ通信を再開することが可能である。
【００３９】
これらの様々な方法および装置は、図２Ａ、ならびに図２Ｂおよび／または２Ｃの状態図３０ａ、３０ｂ、３０ｃと、図３および／または４で示される方法４０、６０とによって例示される。状態図３０ａ、３０ｂ、３０ｃは、ＤＳＬプロバイダまたは電話会社のＮ個の中央制御されたＤＳＬモデム、例えば、図１におけるＣＯ１２のＤＳＬモデム２４１、．．．、２４Ｎと、ＤＳＬカスタマのＮ個のＤＳＬモデム、例えば、図１におけるＣＰ２４１、．．．、２４ＮのＤＳＬモデム１８１、．．．、１８Ｎのセット、およびＮ本の回線、例えば、図１の回線１６１、．．．、１６Ｎのセットを有するＤＳＬ通信システムを記載する。回線のそれぞれは、ＤＳＬカスタマの１つのＤＳＬモデムをＤＳＬプロバイダおよび／または地域の電話会社の対応するＤＳＬモデムに直接接続する。ＤＳＬ通信システムは、例えば、図１のコントローラ２８内で、ＤＳＬデータ信号の時間的に並列なセットのプリコーディングおよび／または復号を含めて、ＤＳＬベクタリングを実行することが可能である。
【００４０】
状態図３０ａ、３０ｂ、３０ｃは、ＤＳＬ通信システムの異なる部分を記述する。図２Ａの状態図３０ａは、信号の損失事象によって直接影響を受けるＤＳＬモデムの対を例示する。このＤＳＬモデムの対は、ＤＳＬデータ通信セッションの間に通信することが可能であり、ＤＳＬカスタマの１つのＤＳＬモデムとＤＳＬプロバイダまたは電話会社の１つのＤＳＬモデムとを含む。図２Ｂの状態図３０ｂは、プリコーディング行列Ｐ、例えば、図１のコントローラ２８によって格納されて、使用されるプリコーディング行列の一連の状態を例示する。図２Ｃの状態図３０ｃは、復号行列Ｍ、例えば、図１のコントローラ２８によって格納されて、使用される復号行列の一連の状態を例示する。プリコーディング行列Ｐおよび復号行列Ｍの異なる状態は、その行列の行および列のサイズであり、現在、ＤＳＬデータ通信セッションを維持しているＤＳＬモデムの対の数、すなわち、ＤＳＬベクタリンググループの現在のサイズである整数Ｋによって索引付けられる。
【００４１】
図２Ａを参照すると、状態図３０ａは、アクティブな状態Ｓａと、非アクティブな状態Ｓｉと、待機状態Ｓｗとを含む。これらの状態は、例示されたＤＳＬモデムの対に利用可能である。例示されたＤＳＬモデムの対は、初期化手順、非アクティブ化手順、および検証手順を介して、３つの異なる状態、すなわち、Ｓａ、Ｓｉ、Ｓｗの間を移動することが可能である。例示されたＤＳＬモデムの対は、短時間の信号の損失事象および持続的な信号の損失事象に応答して、異なる状態、すなわち、Ｓａ、Ｓｉ、Ｓｗの間を移動することも可能である。したがって、これらの手順と事象は両方とも、例示されたＤＳＬモデムの対の状態を変更することが可能である。
【００４２】
アクティブな状態Ｓａにおいて、例示されたＤＳＬモデムの対は、それらの間でアクティブなＤＳＬデータ通信を維持する。
【００４３】
アクティブな状態Ｓａにおいて、図２Ａによって例示された対のどちらかのＤＳＬモデムは、その対応するＤＳＬ通信セッションの順序正しい非アクティブ化を要求することが可能である。例えば、ＣＰ１４１、．．．、１４ＮのセットのＤＳＬモデム１８１、．．．、１８Ｎのうちの１つは、対応するＤＳＬカスタマのローカルＤＳＬに依存するプロセスが終了するとき、かかる要求を行うことが可能である。あるいは、例えば、ＣＯ１２のＤＳＬモデム２４１、．．．、２４Ｎのうちの１つがかかる要求を行うことも可能である。例えば、折衝を介して、非アクティブ化要求が付与された場合、例示されたＤＳＬモデムの対は、非アクティブな状態Ｓｉに遷移する。非アクティブ化要求が拒否された場合、例示されたＤＳＬモデムの対は、アクティブな状態Ｓａに留まる。
【００４４】
非アクティブ化要求が付与された場合、ＤＳＬベクタリンググループのサイズも低減する。例示されたＤＳＬモデムの対がアクティブな状態Ｓａにあるとき、ＤＳＬベクタリンググループが次元Ｋを有する場合、ＤＳＬベクタリンググループは、非アクティブ化手順がＤＳＬ通信システムを遷移させる先となる非アクティブな状態Ｓｉの次元（Ｋ−１）を有することになる。したがって、図２Ｂおよび２Ｃを参照すると、任意のプリコーディング行列Ｐおよび／または復号行列Ｍは、Ｋ状態にあること、すなわち、例示的なアクティブな状態Ｓａに関する次元Ｋ×Ｋの行列であることになり、非アクティブな状態Ｓｉに関する（Ｋ−１）状態に遷移することになる。すなわち、非アクティブ化手順は、例示されたＤＳＬモデムの対による非アクティブな状態Ｓｉに遷移した後に、（Ｋ−１）対のＤＳＬモデムをアクティブな状態に残すことになる。この例の場合、任意のプリコーディング行列および／または復号行列の次元は、かかる遷移によって、（Ｋ−１）状態、すなわち、次元（Ｋ−１）×（Ｋ−１）の行列に変更されることになる。
【００４５】
非アクティブな状態Ｓｉにおいて、図２Ａの例示されたＤＳＬモデムの対は、アクティブなＤＳＬ通信セッションを維持しない。しかし、例示されたＤＳＬモデムの対は、例示されたＤＳＬモデムの対がＤＳＬ通信セッションを開始すること、すなわち、現在のＤＳＬベクタリンググループに参加することを可能にするために、例示された対とアクティブなＤＳＬモデムの任意のその他の対との間で初期化手順をアクティブ化することが可能である。初期化手順が成功した場合、ＤＳＬ通信システムは、アクティブな状態Ｓａに移動し、その場合、少なくとも、例示されたモデムの対がＤＳＬベクタリンググループに追加される。初期化手順が失敗した場合、ＤＳＬ通信システムは、ベクタリンググループに変更されずに、非アクティブな状態Ｓｉに留まる。
【００４６】
アクティブな状態Ｓａに遷移した後で、Ｋ対のＤＳＬモデムは、プリコーディング行列Ｐならびに／または復号行列Ｍと時間的に並列な、アクティブなＤＳＬ通信セッションを図２Ｂおよび２ＣのＫ状態に維持する。したがって、初期化手順は、次元Ｋの最終的なベクタリンググループに関するプリコーディング行列Ｐおよび／または復号行列Ｍの要素を特定する。いくつかの実施形態では、この特定は、所望される新しいベクタリンググループ内またはそのサブセット内のＣＯ１２のＫ個のＤＳＬモデム２４１、．．．、２４ＮとＣＰ１４１、．．．、１４ＮのＫ個のＤＳＬモデム１８１、．．．、１８Ｎとの間でパイロット信号を送信および測定するステップを必要とする場合がある。
【００４７】
図２Ａを再び参照すると、例示されたＤＳＬモデムの対は、これらのＤＳＬモデム同士の間のＤＳＬ通信の受信が実質的に停止されたという判定、すなわち、信号の損失事象に応答して、アクティブな状態Ｓａから待機状態Ｓｗに遷移することも可能である。例えば、かかる事象は、アクティブな状態Ｓａに対応するＤＳＬ通信システムの構成に関して、図１のＫ本の回線１６１、．．．、１６Ｎのうちの１つまたは複数が中断されたとき、もしくは切断されたとき、またはＤＳＬカスタマのＫ個のアクティブなＤＳＬモデムのうちの１つまたは複数が既に上で議論されたように出力低減したときに発生する場合がある。
【００４８】
待機状態Ｓｗにおいて、例示されたＤＳＬモデムの対は、ＤＳＬ通信の受信が再開するのを監視する。待機状態Ｓｗにおいて、例示されたＤＳＬモデムの対は両方とも、これまでこれらのＤＳＬモデムをアクティブな状態Ｓａで接続したローカルエンドラインに対する出力送信を実質的に低減しながら、連続テスト信号をそのローカルエンドラインに依然として送信する。詳細には、待機状態Ｓｗにおいて、２つの例示されたＤＳＬモデムは、例えば、アクティブなＤＳＬデータ通信セッションの間に、すなわち、アクティブな状態ＳａのＤＳＬデータ信号を運ぶために利用可能なＤＳＬトーンのセットの散在する適切なサブセットを介して、テストＤＳＬ信号をローカルエンドラインに送信することが可能である。この散在する適切なサブセットは、例えば、通常のＤＳＬデータ伝送のために利用可能なＤＳＬトーンの数の１／３以下を含み得る。この散在する適切なサブセットは、例えば、かかる通常のＤＳＬデータ通信セッションのために使用された少数の最低周波数ＤＳＬトーンを含み得る。多くの場合、ＤＳＬテストトーンは、残りのアクティブなＤＳＬ通信セッションとの低い漏話干渉を生み出すために選択され得る。例えば、ＤＳＬテスト信号のかかる伝送を低減された出力または少数のＤＳＬトーンに制限することは、ＤＳＬベクタリンググループの残りのアクティブなＤＳＬ通信セッションのＤＳＬ通信との干渉を低減することができる。通常のＤＳＬデータ通信における使用のために利用可能なＤＳＬトーンのセットのこの散在する適切なサブセットを監視することによって、例示されたＤＳＬモデムの対は、ＤＳＬ通信の受信が再開したかどうかを判定することが可能である。かかる再開が発生したという判定に応答して、例示されたＤＳＬモデムの対は、例えば、そのこれまでのアクティブな状態Ｓａを再開するために、信号の損失事象の直前に使用された、格納された行列ＰおよびＭを使用して、またはかかる先の使用されたＰ行列およびＭ行列と若干異なる行列ＰならびにＭを使用して、そのこれまでのアクティブなＤＳＬデータ通信セッションを実質的に再開することが可能である。
【００４９】
短時間の信号の損失によって誘起されたアクティブな状態Ｓａから待機状態Ｓｗへの遷移は、例えば、アクティブなＤＳＬモデムの対の数を削減しない。代わりに、例示されたＤＳＬモデムの対は、待機状態Ｓｗで低減された出力でテストＤＳＬ信号を送信する。したがって、かかる遷移は、プリコーディング行列Ｐまたは復号行列Ｍを図２Ｂおよび／もしくは２Ｃの新しい状態に遷移させない。実際には、例示されたＤＳＬモデムの対から低減された伝送出力が存在する場合、予め使用された形態のプリコーディング行列および／または復号行列が使用される。本発明者らは、かかる低出力動作は、チャネル行列ＨＵおよびＨＤの非対称要素がその対称要素よりもかなり小さい場合、通常、回線間の漏話の有害な影響の実質的な補償を依然として提供することになると考える。
【００５０】
それでもなお、待機状態Ｓｗにおいて、信号の損失事象が持続的、例えば、事前に選択されたかなりの期間にわたって継続するという判定は、通常、例示されたＤＳＬモデムの対を待機状態Ｓｗから非アクティブな状態Ｓｉに遷移させることになる。かかる遷移は、例示される対を非アクティブにすることによって、アクティブなＤＳＬモデムの対の数を削減する。したがって、かかる遷移は、例えば、図２および／または図２Ｃの任意のプリコーディング行列Ｐおよび／または復号行列ＭのＫ状態からその（Ｋ−１）状態への遷移も引き起こすことになる。すなわち、Ｋ対のＤＳＬモデムが元のアクティブな状態Ｓａにおいてアクティブであった場合、（Ｋ−１）対のＤＳＬモデムは、結果として生じる非アクティブな状態Ｓｉへの遷移の開始時に依然としてアクティブな状態に留まることになる。
【００５１】
図２Ａを再び参照すると、例示されたＤＳＬモデムの対は、いくつかの実施形態では、例えば、オプションの検証手順を通過することに応答して、待機状態Ｓｗからアクティブな状態Ｓａに移動する。この検証手順は、信号の損失事象以来、回線のセットの物理的な漏話属性および／またはその他のＤＳＬ伝送パラメータもしくは設定が実質的に変更されていないことを確認するために、例えば、少数のＤＳＬトーンに関して、例えば、アップリンクチャネル行列ＨＵおよび／またはダウンリンクチャネル行列ＨＤのいくつかの要素を測定する。例えば、測定された要素および／またはパラメータが、信号の損失事象に先立つ値とＤＳＬ信号の受信が再開したときの値との間で事前に選択された量を超えて変更されていないことを確認するために、オプションの検証手順が使用され得る。例示されたＤＳＬモデムの対は、かかる検証手順の失敗に応答して、待機状態Ｓｗから非アクティブな状態Ｓａに移動することも可能である。かかるオプションの検証手順は、通常、ＤＳＬシステムのチャネル行列または、行列Ｐおよび／またはＭが実質的に変更されたことを示すことになり、場合によっては、信号の損失事象の緩和に応答して、そのこれまでの形態を実質的に再開しないことになる。
【００５２】
図３および４は、信号の損失事象に応答して、ＤＳＬプロバイダおよび／または電話会社のＤＳＬモデム、例えば、図１のＤＳＬモデム２４１、．．．、２４Ｎのうちの１つと、ＤＳＬカスタマのＤＳＬモデム、例えば、図１のＤＳＬモデム１８１、．．．、１８Ｎのうちの１つとによって実行される方法４０、６０を例示する。
【００５３】
図３を参照すると、方法４０は、ＤＳＬ通信システムのＫ対のＤＳＬモデムがアクティブな状態Ｓａにあるときに始まる。この状態で、ＤＳＬサービスプロバイダおよび／または地域の電話会社のＫ個の中央制御されたＤＳＬモデムは、地域のＤＳＬカスタマのＫ個のＤＳＬモデムとアクティブなＤＳＬデータ通信セッションを有する。アクティブな状態Ｓａにおいて、ＤＳＬプロバイダおよび／または地域の電話会社のＫ個のアクティブな中央制御されたＤＳＬモデムは、ＤＳＬカスタマのＫ個のアクティブなＤＳＬモデムのいずれかからのＤＳＬ通信の受信が実質的に停止されたかまたは中断されているかどうかを判定するために、その対応するローカルエンドライン、例えば、通常の電話回線を定期的に監視する（ステップ４２）。これらのアクティブなＤＳＬモデムは、それらのアクティブなＤＳＬモデムに直接接続された回線上の時間的に平均化された、受信されたＤＳＬ出力の低減に基づいて、受信のかかる実質的な停止または中断を検出することが可能である。例えば、ＤＳＬデータ通信に関して利用可能なＤＳＬトーンのサブセットおよび／または一続きの複数の連続的なタイムスロットを介して平均化されるとき、受信されたＤＳＬ出力の少なくとも６ｄＢの低減は、ＤＳＬカスタマのアクティブなＤＳＬモデムのうちの１つからのＤＳＬ通信の受信のかかる実質的な停止または中断を示す場合がある。この低減が６ｄＢよりもだいぶ大きい場合、受信のかかる実質的な停止または中断を示す連続的なタイムスロットの平均数は、非常に短い可能性、例えば、１つまたは２つのタイムスロットである可能性がある。
【００５４】
ＤＳＬプロバイダおよび／または電話会社のＫ個の中央制御されたアクティブなＤＳＬモデムのセットをＤＳＬカスタマのＫ個のアクティブなＤＳＬモデムのセットと接続しているＫ本のローカルエンドライン内で受信の実質的な停止または中断が検出されない場合、ＤＳＬプロバイダおよび／または電話会社のＫ個のアクティブな中央制御されたＤＳＬモデムは、Ｋ個のＤＳＬ通信セッションのベクタリングされたグループを維持し続けるためにループバックする（４４）。このグループ内で、ＤＳＬプロバイダおよび／または地域の電話会社のＫ個の中央制御されたアクティブなＤＳＬモデムのセットのコントローラ、例えば、図１のコントローラ２８は、プリコーディング行列Ｐを用いて、Ｋ本の回線に対する伝送のためにＤＳＬデータをプリコーディングし、かつ／または復号行列Ｍを用いて、前記Ｋ本の回線の前記グループから受信されたＤＳＬデータを復号する。
【００５５】
前記Ｋ本のローカルエンドラインのうちの１つからのＤＳＬ通信の受信において実質的な停止または中断が検出された場合、前記Ｋ本のローカルエンドラインのうちの１つに直接接続されたＤＳＬプロバイダおよび／または地域の電話会社のアクティブな中央制御されたＤＳＬモデムは、待機状態Ｓｗに入ることになる（ステップ４６）。この待機状態Ｓｗにおいて、この中央制御されたＤＳＬモデムは、当該ＤＳＬモデムが、ＤＳＬ通信の実質的な停止または中断が検出された回線に送信した、時間平均化された出力をかなり低減させる。例えば、この中央制御されたＤＳＬモデムは、その回線に関して利用可能なＤＳＬトーンのうちの少数のＤＳＬトーン上だけでＤＳＬテスト信号を送信することが可能であり、またはより低い時間平均された出力レベルでＤＳＬテスト信号を送信することも可能である。Ｋ本のローカルエンドラインのうちの前記１つに送信された、時間平均化された出力の低減は、前記ＤＳＬ伝送が残りの（Ｋ−１）個のアクティブなＤＳＬ通信セッションにおいて生み出す漏話を低減させることになる。そうでない場合、Ｋ本のローカルエンドラインのうちの１つの中断は、Ｋ本のローカルエンドラインのうちの前記１つと、ＤＳＬデータ通信を運ぶ残りの（Ｋ−１）本のローカルエンドラインとの間の（１つもしくは複数の）電磁結合を変更する可能性があるため、かつ／またはローカルエンドラインのうち中断された回線の反映属性を変更する可能性があるため、かかる漏話が発生して、実質的に補償されない場合がある。この待機状態Ｓｗにおいて、そこからの受信が実質的に停止されたまたは中断された、Ｋ本のローカルエンドラインのうちの１つに対する直接的なＤＳＬ通信のそのようなある程度の欠如（ｑｕａｓｉ−ａｂｓｅｎｃｅ）は、依然としてＤＳＬデータ通信セッションを維持する、その他の２（Ｋ−１）個のＤＳＬモデムにおける低漏話レベルを依然として生み出すために、これまでのアクティブな状態Ｓａで実行されたプリコーディングおよび／または復号を、多くの場合、可能にする。
【００５６】
この待機状態Ｓｗにおいて、そこからのＤＳＬ通信の受信が中断されたまたは実質的に停止された、ローカルエンドラインを経由して予め直接接続された中央制御されたＤＳＬモデムは、例えば、回線の再接続または遠方のＤＳＬモデムの出力増大により、ＤＳＬカスタマの対応するＤＳＬモデムからのＤＳＬ通信の受信が再開したかどうかを判定するために、この同じローカルエンドラインを監視する（ステップ４８）。中央制御されたＤＳＬモデムは、例えば、ＤＳＬ通信の受信が実質的に停止されたまたは中断された前記同じローカルエンドライン上の少数の選択されたＤＳＬトーンの周波数範囲内で時間平均化された、受信されたＤＳＬ出力レベルを監視することが可能である。例えば、受信の中断または実質的な停止に先立つ、選択されたＤＳＬトーンを介した、そのローカルエンドライン上の時間平均された出力レベルよりも低い６ｄＢを下回る、同じローカルエンドライン上の出力レベルの測定は、その中断または実質的な停止からＤＳＬ信号の前記受信が再開したことの表示であり得る。
【００５７】
通常、ローカルエンドラインのうちの前記１つに接続される、ＤＳＬカスタマのＤＳＬモデムは、対応する中央制御されたＤＳＬモデムが、ＤＳＬカスタマのＤＳＬモデムがＤＳＬデータ通信を再開する状態にある表示として、これらのＤＳＬトーン上で受信された出力の存在の検出を使用できるように、待機状態Ｓｗの間、前記少数の選択されたＤＳＬテストトーンを介して直接送信し続けることになる。前記少数の選択されたＤＳＬトーンの場合、かかる直接的なＤＳＬ伝送の出力レベルは、その回線が中断されていないとき、またはそこからのＤＳＬ通信の受信が実質的に停止されていないとき、多くの場合、その他のアクティブなＤＳＬモデムからの漏話によって生み出される出力レベルよりもかなり大きい。このため、ＤＳＬ通信の受信の再開を検出することは、多くの場合、かかる監視の間に簡素化される。
【００５８】
ＤＳＬプロバイダおよび／または地域の電話会社の中央制御されたＤＳＬモデムが、それらの回線のうちの同じ回線を介したＤＳＬ通信の受信が再開したことを判定した場合、中央制御されたＤＳＬモデムは、そのこれまでのアクティブな状態Ｓａに戻る（５０）。かかる再開において、次いで、中央制御されたＤＳＬモデムは、前記同じローカルエンドラインを経由してその中央制御されたＤＳＬモデムに接続された、ＤＳＬカスタマのＤＳＬモデムとのＤＳＬ通信セッションを再開する。次いで、アクティブな中央制御されたＤＳＬモデムは、それらの回線のうちの同じ回線からのＤＳＬ通信の受信の実質的な停止または中断の直前に、ＤＳＬ伝送のためにデータ信号をプリコーディングするために使用されたのと実質的に同じプリコーディング行列ＰによってプリコーディングされたＤＳＬデータ信号の送信を再開することが可能である。また、ＤＳＬプロバイダおよび／または地域の電話会社の同じ中央制御されたＤＳＬモデムは、それらの回線のうちの同じ回線からのＤＳＬデータ通信の受信の実質的な停止または中断の直前に、受信されたＤＳＬデータ信号を復号するために使用されたのと同じ復号行列Ｍを用いて、受信されたＤＳＬデータ信号の復号を再開することも可能である。かかるＤＳＬデータ通信の受信の中断または実質的な停止が、すなわち、恒久的な変更によるものでなく、一時的な影響によるものであるとき、これらの実質的に同じプリコーディング行列および復号行列は、通常、受入れ可能である。
【００５９】
ＤＳＬ通信の予め実質的に停止された受信が継続することが判定された場合、ＤＳＬプロバイダおよび／または地域の電話会社の同じ中央制御されたＤＳＬモデムは、かかるＤＳＬ通信の受信の実質的な停止が、選択されたかなりの長さのしきい値時間よりも長く持続したかどうかを判定する（ステップ５２）。例えば、選択されたしきい値時間は、チャネル行列内の何らかの実質的な変更が、実質的に停止されたＤＳＬ通信の後の再開によって実質的に取り消されることにならないという推定を行うのに十分長いものであり得る。
【００６０】
かかるＤＳＬ通信の受信の中断または実質的な停止が、選択されたしきい値時間よりも長く持続していないという判定に応答して、同じ中央制御されたＤＳＬモデムは、待機状態Ｓｗに戻る（ステップ５４）。
【００６１】
ＤＳＬ通信のかかる受信の中断または実質的な停止が、選択されたしきい値時間よりも長く持続しているという判定に応答して、中央制御されたＤＳＬモデムは、非アクティブな状態Ｓｉに移動する（ステップ５６）。
【００６２】
非アクティブな状態Ｓｉにおいて、同じ中央制御されたＤＳＬ送受信器は、プリコーディング行列Ｐおよび復号行列Ｍの関連要素が再度初期化され得るように、アップリンクチャネル行列および／もしくはダウンリンクチャネル行列に参加することが可能であり、かつ／またはアップリンクチャネル行列および／もしくはダウンリンクチャネル行列を測定することが可能である（ステップ５８）。したがって、ＤＳＬ通信に関して使用された回線のうちの１つからのＤＳＬ通信の受信の持続的な中断または持続的な実質的な停止は、プリコーディング行列Ｐ内および／または復号行列Ｍ内の要素に関して、新しく、より適切な値が見出されるように、中央制御されたＤＳＬモデムにアクティブなＤＳＬ通信セッションを維持する残りのＤＳＬモデムとの初期化手順を実行させることが可能である。
【００６３】
図４を参照すると、方法６０は、ＤＳＬ通信システムが、ＤＳＬカスタマのＫ個のＤＳＬモデムがＤＳＬプロバイダおよび／または地域の電話会社のＫ個の中央制御されたＤＳＬモデムとアクティブなＤＳＬ通信セッションを有するアクティブな状態Ｓａにあるときにも始まる。このアクティブな状態Ｓａにおいて、並列なＤＳＬ通信セッションを有する、ＤＳＬカスタマのこれらのＫ個のＤＳＬモデムは、Ｋ個の中央制御されたモデムからのＤＳＬ通信の受信の中断または実質的な停止が発生したかどうかを判定するために、それらのＫ個の中央制御されたＤＳＬモデムとの回線も定期的に監視する（ステップ６２）。ＤＳＬカスタマのこれらのＤＳＬモデムは、回線上、例えば、そこに直接接続された通常の電話回線上の時間平均化された出力の低減からかかる中断または実質的な停止を検出することも可能であり、例えば、短い一続きの連続的な伝送タイムスロットにわたって平均化されたとき、かかる出力の少なくとも６ｄＢの低減は、かかる中断または実質的な停止を信号で知らせることが可能である。その低減が６ｄＢよりもかなり大きい場合、受信のかかる実質的な停止または中断を示すための連続的なタイムスロットの平均数は、非常に短い可能性、例えば、１つまたは２つのタイムスロットである可能性がある。
【００６４】
ＤＳＬ通信の受信の中断または実質的な停止がＤＳＬプロバイダおよび／または電話会社のＫ個の中央制御されたＤＳＬモデムのセットをＤＳＬカスタマのＫ個のＤＳＬモデムのセットと接続しているＫ本の回線のうちのいずれかから検出されない場合、ＤＳＬカスタマのＫ個のＤＳＬモデムは、Ｋ個のＤＳＬ通信セッションのベクタリングされたグループとして動作し続けるためにループバックする（６４）。
【００６５】
Ｋ本の回線のうちの１つからかかるＤＳＬ通信の受信の中断または実質的な停止が検出された場合、かかるＤＳＬ通信の中断されたまたは実質的に停止された受信を伴う回線のうちの１つに直接接続する、ＤＳＬカスタマのＤＳＬモデムは、待機状態Ｓｗに入る（ステップ６６）。この待機状態Ｓｗにおいて、ＤＳＬカスタマのこの同じＤＳＬモデムは、当該ＤＳＬモデムがそれらの回線のうちの同じ１つに送信する時間平均化された出力をかなり低減する。例えば、このＤＳＬモデムは、それらの回線のうちの１つに関して利用可能なＤＳＬトーンのうちの少数のＤＳＬトーン上だけでＤＳＬテスト信号を送信することが可能であるか、またはより低い平均出力レベルでＤＳＬテスト信号を送信することが可能である。送信出力の低減は、前記伝送が残りの（Ｋ−１）個のアクティブなＤＳＬ通信セッションにおいて生み出すことになる漏話を削減する。そうでない場合、Ｋ本のローカルエンドラインのうちの１つの中断は、Ｋ本のローカルエンドラインのうちの前記１つと、ＤＳＬデータ通信を運ぶ残りの（Ｋ−１）本のローカルエンドラインとの間の（１つもしくは複数の）電磁結合を変更する可能性があるため、かつ／またはそれらのローカルエンドラインのうちの前記１つの反映属性を変更する可能性があるため、かかる漏話が発生し、実質的に補償されない可能性がある。中断されたまたは実質的に停止された受信に関連する回線のうちの１つに対する直接的なＤＳＬ通信のそのようなある程度の欠如は、多くの場合、ＤＳＬカスタマのその他の（Ｋ−１）個のアクティブなＤＳＬモデムのＤＳＬ通信セッションにおいて低漏話を依然として生み出すために、これまでのアクティブな状態Ｓａにおいて実行されたプリコーディングおよび／または復号を可能にすることになる。
【００６６】
待機状態Ｓｗにおいて、回線のうちの１つを経由して、ＤＳＬ通信の中断されたまたは実質的に停止された受信と予め直接接続された、ＤＳＬカスタマの同じＤＳＬモデムは、例えば、同じ回線の再補正によって、ＤＳＬ通信の受信がＤＳＬプロバイダおよび／または地域の電話会社の対応する中央制御されたＤＳＬモデムから再開したかどうかを判定するために、前記同じ回線を監視する（ステップ６８）。ＤＳＬカスタマの同じＤＳＬモデムは、かかる再開を検出するために、ＤＳＬ通信の中断されたまたは実質的に停止された受信を伴う回線上の少数の選択されたＤＳＬトーンの周波数範囲内で、選択された時間平均化された出力レベルを監視することが可能である。ＤＳＬカスタマのこの同じＤＳＬモデムは、中央制御されたＤＳＬモデムが、ＤＳＬカスタマの同じＤＳＬモデムからのＤＳＬ通信の受信の再開の表示として、これらのＤＳＬテストトーン上の出力の存在を使用できるように、待機状態Ｓｗの間に前記少数の選択されたＤＳＬテストトーンを送信し続けることになる。
【００６７】
ＤＳＬカスタマの同じＤＳＬモデムが、ＤＳＬ通信の予め中断されたまたは実質的に停止された受信が再開したことを判定した場合、ＤＳＬカスタマのこのＤＳＬモデムは、これまでのアクティブな状態Ｓａを再開する（７０）。詳細には、中央制御されたＤＳＬモデムは、そこからＤＳＬ通信の受信が予め中断されたまたは実質的に停止された回線のうちの前記１つを経由して、ＤＳＬカスタマのＤＳＬモデムとのＤＳＬデータ通信セッションを開始する。中央制御されたＤＳＬモデムは、その回線からのＤＳＬ通信の受信の中断または実質的な停止の直前にＤＳＬ伝送に関して使用されたのと実質的に同じプリコーディングを用いて、ＤＳＬデータ信号を送信することが可能である。また、中央制御されたＤＳＬモデムは、それらの回線のうちの１つからのＤＳＬデータ通信の受信の中断または実質的な停止の直前に、受信されたＤＳＬデータを復号するために使用されたのと実質的に同じ復号行列Ｍを用いて、受信されたＤＳＬデータ信号を復号することも可能である。
【００６８】
それらの回線のうちの１つが、依然として、ＤＳＬ通信の受信を中断または実質的に停止している場合、ＤＳＬカスタマの同じＤＳＬモデムは、中断されたまたは実質的に停止された受信が選択されたしきい値時間よりも長く持続したかどうかを判定する（ステップ７２）。
【００６９】
中断されたまたは実質的に停止された受信が選択されたしきい値時間より長く持続していないという判定に応答して、ＤＳＬカスタマのＤＳＬモデムは、遷移して待機状態Ｓｗに戻る（ステップ７４）。
【００７０】
受信の中断または実質的な停止が選択されたしきい値時間より長く持続したという判定に応答して、ＤＳＬカスタマの同じＤＳＬモデムは、非アクティブな状態Ｓｉに遷移する（ステップ７６）。
【００７１】
この非アクティブな状態Ｓｉにおいて、同じＤＳＬモデムは、通常、例えば、１つもしくは複数のチャネル行列の要素ならびに／またはプリコーディング行列Ｐおよび復号行列Ｍの要素の測定を介して、例えば、前記要素を特定する再初期化手順に参加する（ステップ７８）。したがって、ＤＳＬ通信に関して使用された回線のうちの１つからの受信の持続的な中断または実質的な停止は、多くの場合、プリコーディング行列Ｐ内および復号行列Ｍ内の要素が再特定され得るように、ＤＳＬカスタマのＤＳＬモデムに、ＤＳＬカスタマの（Ｋ−１）個のＤＳＬモデムの残りのベクタリンググループとの初期化手順を実行させることになる。
【００７２】
本明細書において、説明された方法、例えば、図３−４の方法４０、６０のステップは、命令の機械実行可能なプログラムによって実行されることが可能であり、これらのプログラムは、例えば、コンピュータによって読取り可能な、機械可読形態で、デジタル記憶媒体上で符号化される。デジタル記憶媒体は、例えば、磁気テープ、磁気ディスク、光ディスク、デジタルアクティブメモリ、および／またはハードドライブであってよい。
【００７３】
これらの開示、図面、および特許請求の範囲から、本発明のその他の実施形態が当業者に明らかになるであろう。
【図１】
0005450605.tif 000002
【図２Ａ】
0005450605.tif 000003
【図２Ｂ】
0005450605.tif 000004
【図２Ｃ】
0005450605.tif 000005
【図３】
0005450605.tif 000006
【図４】
0005450605.tif 000007